(57)【要約】【課題】暖機時間や外気温の変動がある場合においても、それぞれの表示装置の輝度を目標値に輝度調整可能とする輝度調整装置および輝度調整方法を提供する。【解決手段】輝度調整装置が、外部温度検出手段が検出した外部温度と、内部温度検出手段が検出した内部温度との温度差を算出し、算出した温度差に対応する暖機時間を推定暖機時間として製品内部温度テーブル記憶手段に記憶されている製品内部温度テーブルから読み出して決定する暖機時間決定手段と、暖機時間推定手段が読み出して決定した推定暖機時間に対応する目標輝度値を、目標輝度値テーブル記憶手段に記憶されている目標輝度値テーブルから読み出して決定する目標輝度値決定手段と、表示装置の輝度値を目標輝度値算出手段が読み出して決定した目標輝度値に合わせて表示装置の輝度値を設定する輝度値設定手段と、を有する。【選択図】図１
2008116737.tif 000002
【特許請求の範囲】
【請求項１】
表示装置の輝度を調整する輝度調整装置であり、
前記表示装置の外部温度を前記表示装置の外部にある外部温度センサ装置で検出する外部温度検出手段と、
前記表示装置の内部温度を前記表示装置の内部にある内部温度センサ装置で検出する内部温度検出手段と、
前記外部温度と前記内部温度との温度差と、暖機時間とが予め関連付けて製品内部温度テーブルとして記憶されている製品内部温度テーブル記憶手段と、
前記暖機時間と前記暖機時間における前記表示装置の製品としての目標となる輝度値である目標輝度値とが予め関連付けて目標輝度値テーブルとして記憶されている目標輝度値テーブル記憶手段と、
前記外部温度検出手段が検出した外部温度と、前記内部温度検出手段が検出した内部温度との温度差を算出し、前記算出した温度差に対応する暖機時間を推定暖機時間として前記製品内部温度テーブル記憶手段に記憶されている製品内部温度テーブルから読み出して決定する暖機時間決定手段と、
前記暖機時間推定手段が読み出して決定した推定暖機時間に対応する目標輝度値を、前記目標輝度値テーブル記憶手段に記憶されている目標輝度値テーブルから読み出して決定する目標輝度値決定手段と、
前記表示装置の輝度値を前記目標輝度値算出手段が読み出して決定した目標輝度値に合わせて前記表示装置の輝度値を設定する輝度値設定手段と、
を有することを特徴とする輝度調整装置。
【請求項２】
前記目標輝度値テーブル記憶手段に、前記目標輝度値テーブルが外部温度毎に記憶されており、
前記目標輝度値決定手段が、前記外部温度検出手段が検出した外部温度に該当する前記目標輝度値テーブルを前記目標輝度値テーブル記憶手段から選択し、前記選択した前記目標輝度値テーブルから前記推定暖機時間を読み出して決定する、
ことを特徴とする請求項１に記載の輝度調整装置。
【請求項３】
前記表示装置の輝度値を輝度センサ装置で検出する輝度値検出手段、
を有し、
前記輝度値設定手段が、前記輝度値検出手段が検出した輝度値と、前記目標輝度値決定手段が決定した目標輝度値とに基づいて前記表示装置の輝度値を設定する、
ことを特徴とする請求項１または請求項２に記載の輝度調整装置。
【請求項４】
表示装置の輝度を調整する輝度調整装置であり、
前記表示装置の第１の部位の温度である第１の内部温度を前記表示装置の前記第１の部位にある第１の内部温度センサ装置で検出する第１の内部温度検出手段と、
前記表示装置の第２の部位の温度である第１の内部温度を前記表示装置の前記第２の部位にある第２の内部温度センサ装置で検出する第２の内部温度検出手段と、
前記第１の内部温度と前記第２の内部温度との温度差と、暖機時間とが予め関連付けて製品内部温度テーブルとして記憶されている製品内部温度テーブル記憶手段と、
前記暖機時間と前記暖機時間における前記表示装置の製品としての目標となる輝度値である目標輝度値とが予め関連付けて目標輝度値テーブルとして記憶されている目標輝度値テーブル記憶手段と、
前記外部温度検出手段が検出した外部温度と、前記内部温度検出手段が検出した内部温度との温度差を算出し、前記算出した温度差に対応する暖機時間を推定暖機時間として前記製品内部温度テーブル記憶手段に記憶されている製品内部温度テーブルから読み出して決定する暖機時間決定手段と、
前記暖機時間推定手段が読み出して決定した推定暖機時間に対応する目標輝度値を、前記目標輝度値テーブル記憶手段に記憶されている目標輝度値テーブルから読み出して決定する目標輝度値決定手段と、
前記表示装置の輝度値を前記目標輝度値算出手段が読み出した決定した目標輝度値に合わせて前記表示装置の輝度値を設定する輝度値設定手段と、
を有することを特徴とする輝度調整装置。
【請求項５】
表示装置の輝度を調整する輝度調整装置において用いられる方法であり、
前記輝度調整装置が、
前記外部温度と前記内部温度との温度差と、暖機時間とが予め関連付けて製品内部温度テーブルとして記憶されている製品内部温度テーブル記憶手段と、
前記暖機時間と前記暖機時間における前記表示装置の製品としての目標となる輝度値である目標輝度値とが予め関連付けて目標輝度値テーブルとして記憶されている目標輝度値テーブル記憶手段と、
を有し、
前記表示装置の外部温度を前記表示装置の外部にある外部温度センサ装置で検出し、
前記表示装置の内部温度を前記表示装置の内部にある内部温度センサ装置で検出し、
前記外部温度検出手段が検出した外部温度と、前記内部温度検出手段が検出した内部温度との温度差を算出し、前記算出した温度差に対応する暖機時間を推定暖機時間として前記製品内部温度テーブル記憶手段に記憶されている製品内部温度テーブルから読み出して決定し、
前記読み出して決定した推定暖機時間に対応する目標輝度値を、前記目標輝度値テーブル記憶手段に記憶されている目標輝度値テーブルから読み出して決定し、
前記表示装置の輝度値を前記読み出して決定した目標輝度値に合わせて前記表示装置の輝度値を設定する、
ことを特徴とする輝度調整方法。
【発明の詳細な説明】
【技術分野】
【０００１】
本発明は、表示装置に関わり、特に表示装置の輝度を調整する技術に関する。
【背景技術】
【０００２】
従来、工場で製造される表示装置は、製造工程における輝度の調整工程において、その輝度が調整されている。特に表示装置が液晶表示装置の場合においては、この輝度とは、液晶表示装置が有するバックライト装置の出力光により決定されるものであり、この出力が調整されている。
この輝度の調整は、表示装置の製品毎に予め目標値が定められており、例えば、ある製品については、外気温が２５℃の場合に、輝度の値が４００±１０カンデラである、などとして予め決められているものである。
【０００３】
このような輝度の調整工程において用いられる輝度調整装置は、表示装置の輝度を測定し、測定した輝度を上記のような目標値と比較し、表示装置の輝度が目標値となるように、表示装置の輝度を調整している。表示装置は、このような輝度調整装置により、その輝度が調整された後、製品毎に予め目標値を満たした上で製品として出荷される。
【０００４】
このような従来の輝度調整は、目標値である輝度値を保証するため、決められた暖機時間が経過した後に、その輝度の調整が行われていた。
例えば、表示装置に電源を投入してから暖機時間として３０分経過後に、その輝度を測定し、表示装置の輝度が調整されていた。
【０００５】
また、表示装置は暖機時間のみでなく、外気温により、その輝度が変化する。そのため、外気温の変化を検出し、検出した外気温に基づいて表示装置の輝度を自動調整する技術が知られている（例えば、特許文献１参照）。
【０００６】
【特許文献１】特開平１１−２８０１号公報
【発明の開示】
【発明が解決しようとする課題】
【０００７】
しかしながら、表示装置の暖機時間は、例えば３０分で行われたものとみなして輝度調整しているが、実際には工場での表示装置の製造または検査の作業工程に依存して、表示装置の製品毎に異なる。例えば、表示装置の輝度調整の工程の、直前になされている工程により、表示装置の暖機時間は異なる。これは、直前になされている工程において、表示装置に通電されることなどにより、表示装置の内部温度が変化しているなどの理由による。また、工場での外気温は一定ではない場合もある。
そのため、表示装置の輝度を調整する場合において、暖機時間のみでなく、外気温も考慮して、表示装置の輝度を調整する必要があるという問題がある。
【０００８】
本発明は、このような事情に鑑みてなされたもので、その目的は、暖機時間や外気温の変動がある場合においても、それぞれの表示装置の輝度を目標値に輝度調整可能とする輝度調整装置および輝度調整方法を提供することにある。
【課題を解決するための手段】
【０００９】
この発明は上述した課題を解決するためになされたもので、請求項１に記載の発明は、表示装置の輝度を調整する輝度調整装置であり、前記表示装置の外部温度を前記表示装置の外部にある外部温度センサ装置で検出する外部温度検出手段と、前記表示装置の内部温度を前記表示装置の内部にある内部温度センサ装置で検出する内部温度検出手段と、前記外部温度と前記内部温度との温度差と、暖機時間とが予め関連付けて製品内部温度テーブルとして記憶されている製品内部温度テーブル記憶手段と、前記暖機時間と前記暖機時間における前記表示装置の製品としての目標となる輝度値である目標輝度値とが予め関連付けて目標輝度値テーブルとして記憶されている目標輝度値テーブル記憶手段と、前記外部温度検出手段が検出した外部温度と、前記内部温度検出手段が検出した内部温度との温度差を算出し、前記算出した温度差に対応する暖機時間を推定暖機時間として前記製品内部温度テーブル記憶手段に記憶されている製品内部温度テーブルから読み出して決定する暖機時間決定手段と、前記暖機時間推定手段が読み出して決定した推定暖機時間に対応する目標輝度値を、前記目標輝度値テーブル記憶手段に記憶されている目標輝度値テーブルから読み出して決定する目標輝度値決定手段と、前記表示装置の輝度値を前記目標輝度値算出手段が読み出して決定した目標輝度値に合わせて前記表示装置の輝度値を設定する輝度値設定手段と、を有することを特徴とする輝度調整装置である。
【００１０】
請求項２に記載の発明は、前記目標輝度値テーブル記憶手段に、前記目標輝度値テーブルが外部温度毎に記憶されており、前記目標輝度値決定手段が、前記外部温度検出手段が検出した外部温度に該当する前記目標輝度値テーブルを前記目標輝度値テーブル記憶手段から選択し、前記選択した前記目標輝度値テーブルから前記推定暖機時間を読み出して決定する、ことを特徴とする請求項１に記載の輝度調整装置である。
【００１１】
請求項３に記載の発明は、前記表示装置の輝度値を輝度センサ装置で検出する輝度値検出手段、を有し、前記輝度値設定手段が、前記輝度値検出手段が検出した輝度値と、前記目標輝度値決定手段が決定した目標輝度値とに基づいて前記表示装置の輝度値を設定する、ことを特徴とする請求項１または請求項２に記載の輝度調整装置である。
【００１２】
請求項４に記載の発明は、表示装置の輝度を調整する輝度調整装置であり、前記表示装置の第１の部位の温度である第１の内部温度を前記表示装置の前記第１の部位にある第１の内部温度センサ装置で検出する第１の内部温度検出手段と、前記表示装置の第２の部位の温度である第１の内部温度を前記表示装置の前記第２の部位にある第２の内部温度センサ装置で検出する第２の内部温度検出手段と、前記第１の内部温度と前記第２の内部温度との温度差と、暖機時間とが予め関連付けて製品内部温度テーブルとして記憶されている製品内部温度テーブル記憶手段と、前記暖機時間と前記暖機時間における前記表示装置の製品としての目標となる輝度値である目標輝度値とが予め関連付けて目標輝度値テーブルとして記憶されている目標輝度値テーブル記憶手段と、前記外部温度検出手段が検出した外部温度と、前記内部温度検出手段が検出した内部温度との温度差を算出し、前記算出した温度差に対応する暖機時間を推定暖機時間として前記製品内部温度テーブル記憶手段に記憶されている製品内部温度テーブルから読み出して決定する暖機時間決定手段と、前記暖機時間推定手段が読み出して決定した推定暖機時間に対応する目標輝度値を、前記目標輝度値テーブル記憶手段に記憶されている目標輝度値テーブルから読み出して決定する目標輝度値決定手段と、前記表示装置の輝度値を前記目標輝度値算出手段が読み出した決定した目標輝度値に合わせて前記表示装置の輝度値を設定する輝度値設定手段と、を有することを特徴とする輝度調整装置である。
【００１３】
請求項５に記載の発明は、表示装置の輝度を調整する輝度調整装置において用いられる方法であり、前記輝度調整装置が、前記外部温度と前記内部温度との温度差と、暖機時間とが予め関連付けて製品内部温度テーブルとして記憶されている製品内部温度テーブル記憶手段と、前記暖機時間と前記暖機時間における前記表示装置の製品としての目標となる輝度値である目標輝度値とが予め関連付けて目標輝度値テーブルとして記憶されている目標輝度値テーブル記憶手段と、を有し、前記表示装置の外部温度を前記表示装置の外部にある外部温度センサ装置で検出し、前記表示装置の内部温度を前記表示装置の内部にある内部温度センサ装置で検出し、前記外部温度検出手段が検出した外部温度と、前記内部温度検出手段が検出した内部温度との温度差を算出し、前記算出した温度差に対応する暖機時間を推定暖機時間として前記製品内部温度テーブル記憶手段に記憶されている製品内部温度テーブルから読み出して決定し、前記読み出して決定した推定暖機時間に対応する目標輝度値を、前記目標輝度値テーブル記憶手段に記憶されている目標輝度値テーブルから読み出して決定し、前記表示装置の輝度値を前記読み出して決定した目標輝度値に合わせて前記表示装置の輝度値を設定する、ことを特徴とする輝度調整方法である。
【発明の効果】
【００１４】
この発明によれば、表示装置の輝度の調整時において、表示装置の製品としての調整目標である輝度に、暖機時間や外気温の変動がある場合においても、それぞれの表示装置の輝度を目標値に調整ができるという効果を奏する。
【発明を実施するための最良の形態】
【００１５】
（基本構成）
以下、図面を参照して、本発明の実施の形態について説明する。図１は、この発明の一実施形態による輝度調整装置の構成を示す概略ブロック図である。
輝度調整の対象となる表示装置２と、表示装置２の輝度を調整する輝度調整装置１とが、制御線７で接続されている。
【００１６】
輝度調整装置１には、表示装置２の内部の温度（以降、内部温度と称する）を計測する内部温度センサ４と、表示装置２の輝度（以降、輝度と称する）を計測するための輝度センサ５と、表示装置２の外気の温度（以降、外部温度と称する）を計測する外部温度センサ３と、が接続されている。この内部温度センサ４は、表示装置２に内蔵されている。
輝度調整装置１は、各センサにより計測した内部温度、輝度および外部温度に基づいて、表示装置２の目標輝度値を算出し、算出した輝度値になるように、制御線７を介して、表示装置２の輝度を調整する。
【００１７】
表示装置２は、例えば、液晶方式の表示装置である。この表示装置２は、その内部に輝度の設定値を記憶するための輝度値設定記憶部６を有しており、表示装置２は、輝度値設定記憶部６に記憶されている設定値に基づいて、バックライトの電圧を調整することにより、輝度値を調整している。
【００１８】
輝度調整装置１は、輝度値設定記憶部６の設定値を、制御線７を介して、変更することにより、表示装置２の輝度を調整する。
また、輝度調整装置１は、制御線７を介して内部温度センサ４に接続され、内部温度の情報を取得する。
【００１９】
輝度センサ５は、表示装置２の表示部に、輝度センサ５の受光部を外部から近接させることにより表示装置２の表示部の輝度値を測定する。例えば、測定器である輝度センサ５は、表示装置２の表示部の前面に取り付けられて、表示装置２の輝度値を測定する。
【００２０】
外部温度センサ３は、表示装置２が輝度調整のために設置されている部屋の室温を、計測する。この外部温度センサ３は、表示装置２または輝度調整装置１の発熱と関係なく室温を測定するために、表示装置２または輝度調整装置１と十分の距離が離されて設置されている。
【００２１】
また、この輝度調整装置１には、周辺機器として入力装置（図示せず）、確認用の表示装置である確認用表示装置８、等が接続されるものとする。ここで、入力装置とはキーボード、マウス等の入力デバイスのことをいう。また、確認用表示装置８とは、ＣＲＴ（Ｃａｔｈｏｄｅ  Ｒａｙ  Ｔｕｂｅ）や液晶表示装置等のことをいう。
【００２２】
（原理）
まず、図１の輝度調整装置１が表示装置２の輝度を調整する原理について、図２および図３を用いて説明する。
図２は、製品温度特性Ａと目標輝度値特性Ｂとを、それぞれ暖機時間に対してグラフとして表示したものである。
【００２３】
この製品温度特性関数Ａとは、暖機時間の時間経過における、内部温度から外部温度を減算した温度差であり、図２に曲線Ａとして示すように、暖機時間の経過とともに温度差が上昇する特性を有する。
製品温度特性関数Ａは、表示装置２の電源投入からの経過時間を基準としている。ここで、電源投入前においては、表示装置２の内部温度は外部温度と同じであるため、電源投入時においては、製品温度特性関数Ａの温度差は０である。
また、製品温度特性関数Ａは、一定時間経過後には、表示装置２の発熱量と、表示装置２からの放熱量とが一致するため、その温度差の変化は小さくなる。例えば、十分な時間が経過した暖機時間Ｔｃの前後においては、製品温度特性関数Ａの温度差の値は、温度差Ｋｃにほぼ一定である。例えば、このような暖機時間Ｔｃが、従来の暖機時間の３０分であり、予め決められた暖機時間Ｔｃ（＝３０分）の時間が経過したとみなして、表示装置２の輝度調整が行われていた。
【００２４】
また、図２からわかるように、製品温度特性関数Ａは、暖機時間に対して、温度差が単調に増加している。そのため、製品温度特性関数Ａを用いて、温度差から暖機時間を推定することが可能となる。
例えば、図２から、温度差がＫａの場合には、製品温度特性関数Ａから、暖機時間がＴａとして推定することが可能である。また、図２から、例えば、温度差がＫｂの場合には、製品温度特性関数Ａから、暖機時間がＴｂとして推定することが可能である。
このように、温度差から、製品温度特性関数Ａを用いて、推定した暖機時間が、推定暖機時間である。
【００２５】
この製品温度特性関数Ａは、製品毎に実験をすることにより、または、シミュレーションにより、予め求めることができる関数である。
【００２６】
ここで、製品温度特性関数Ａは、表示装置２の発熱量と、表示装置２からの放熱量とに依存するため、その特性は、同一構造を有する製品については一様である。従って、製品毎に１つの製品温度特性関数Ａがあればよい。
なお、製品温度特性関数Ａは、外気温度には、ほぼ依存しないため、製品毎に１つの製品温度特性関数Ａがあればよい。
【００２７】
また、目標輝度値特性Ｂとは、暖機時間と、目標となる輝度値を対応付けた関数であり、図２に曲線Ｂとして示すように、暖機時間の経過とともに輝度値が上昇し、その後、暖機時間Ｔｃを経過し、製品温度特性関数Ａの温度差が一定になるに従い、目標となる輝度値がほぼ一定となる曲線である。
この目標輝度値特性Ｂは、製品毎に一様である。なお、この目標輝度値特性Ｂは、製品毎に実験をすることにより、または、シミュレーションにより、予め求めることができる関数である。
【００２８】
図２に示すように、この目標輝度値特性Ｂは、例えば、暖機時間Ｔａのときに、輝度値がＬａであった場合、その後、表示装置２の輝度は、目標輝度値特性Ｂに従って、暖機時間Ｔｂの時には輝度値Ｌｂとなり、更にその後、暖機時間Ｔｃの時には輝度値Ｌｃとなることを示している。
従って、暖機時間Ｔａのときに、表示装置２の輝度値が、目標輝度値特性Ｂの値である輝度値Ｌａより低い輝度値Ｌｘである場合には、表示装置２の輝度値を輝度値Ｌａとなるように調整すればよい。
また逆に、暖機時間Ｔａのときに、表示装置２の輝度値が、目標輝度値特性Ｂの値である輝度値Ｌａより高い輝度値Ｌｙである場合には、表示装置２の輝度値を輝度値Ｌａとなるように調整すればよい。
このようにして、暖機時間Ｔａのときの表示装置２の輝度値を、暖機時間Ｔａのときの目標輝度値特性Ｂの値である輝度値Ｌａに調整することにより、暖機時間が経過した後の、暖機時間Ｔｃにおいての輝度値が、目標輝度値特性Ｂにより輝度値Ｌｃであることが保障することが可能となる。
【００２９】
図２では、目標輝度値特性Ｂが、外気温度が例えば２５℃の場合のみについて説明したが、次に図３を用いて、外気温が１０℃と３５℃の場合について説明する。
図３においては、外気温が１０℃、２５℃および３５℃のそれぞれの場合の目標輝度値特性Ｂが、目標輝度値特性Ｂ１０、目標輝度値特性Ｂ２５および目標輝度値特性Ｂ３５として、図示されている。
【００３０】
外気温に該当する目標輝度値特性Ｂを選択することにより、選択した目標輝度値特性Ｂを用いて輝度目標値を決定することにより、それぞれの外気温毎の、輝度目標値を決定することが可能である、この決定した輝度目標値に表示装置２の輝度を調整することにより、表示装置２の製品としての調整をすることが可能となる。
【００３１】
（第１の実施形態）
次に、図４を用いて、輝度調整装置１の詳細な構成を説明する。なお、同図において図１の各部に対応する部分には同一の符号を付け、その説明を省略する。
外部温度検出部１０３は、表示装置２の外部温度を、表示装置２の外部にある外部温度センサ３で検出する。内部温度検出部１０４は、表示装置２の内部温度を、表示装置２の内部にある内部温度センサ４で検出する。輝度値検出部１０５は、表示装置２の輝度値を、輝度センサ５で検出する。
【００３２】
製品内部温度特性関数記憶部１０１（製品内部温度テーブル記憶部１０１）には、外部温度と内部温度との温度差と、暖機時間とが予め関連付けられ、表示装置の製品毎に、製品内部温度特性関数として記憶されている。例えば、製品内部温度特性関数記憶部１０１には、図２または図３の製品内部温度特性関数が、製品内部温度テーブルとして予め記憶されている。
【００３３】
目標輝度値特性関数記憶部１０２（目標輝度値テーブル記憶部１０２）には、暖機時間と暖機時間における表示装置２の製品としての目標となる輝度値である目標輝度値とが予め関連付けられて、表示装置の製品毎に、目標輝度値特性関数として記憶されている。例えば、目標輝度値特性関数記憶部１０２には、図２または図３の目標輝度値特性関数が、目標輝度値テーブルとして予め記憶されている。
また、目標輝度値特性関数記憶部１０２には、該目標輝度値特性関数が、外部温度毎に記憶されている。例えば、目標輝度値特性関数記憶部１０２には、図３に示したような目標輝度値特性関数Ｂ１０、Ｂ２５、Ｂ３５のように、目標輝度値特性関数が外部温度毎に記憶されている。
【００３４】
暖機時間決定部１０６は、外部温度検出部１０３が検出した外部温度と、内部温度検出部１０４が検出した内部温度との温度差を算出し、該算出した温度差に対応する暖機時間を、製品内部温度特性関数記憶部１０１に記憶されている製品内部温度特性関数から読み出して推定暖機時間として決定する。
【００３５】
目標輝度値決定部１０７は、暖機時間決定部１０６が決定した推定暖機時間に対応する目標輝度値を、目標輝度値特性関数記憶部１０２に記憶されている目標輝度値特性関数から読み出して決定する。
また、目標輝度値決定部１０７は、外部温度検出部１０３が検出した外部温度に該当する目標輝度値特性関数を目標輝度値特性関数記憶部１０２から選択し、該選択した目標輝度値特性関数から推定暖機時間を読み出して決定する。
【００３６】
輝度値設定部１０８は、表示装置２の輝度値を目標輝度値決定部１０７が読み出して決定した目標輝度値に合わせて、表示装置２を調整（制御または設定）する。例えば、輝度値設定部１０８は、目標輝度値決定部１０７が読み出して決定した目標輝度値に合わせて、表示装置２の輝度値設定記憶部６に、輝度値を設定する。
【００３７】
また、輝度値設定部１０８は、輝度値検出部１０５が検出した表示装置２の輝度値と、目標輝度値決定部１０７が決定した目標輝度値とに基づいて表示装置２の輝度値を設定する。
【００３８】
例えば、輝度値設定部１０８は、輝度値検出部１０５が検出した表示装置２の輝度値と、目標輝度値決定部１０７が決定した目標輝度値との差を算出し、算出した輝度値の差（輝度差）に基づいて、その輝度差を０にするように表示装置２の輝度値を設定する。
例えば、輝度値設定部１０８は、算出した輝度差を、予め設定された一定の値である製品の輝度の許容誤差の値と比較し、算出した輝度差が製品の輝度の許容誤差以下であるならば、輝度の調整を終了する。
【００３９】
一方、算出した輝度差が製品の輝度の許容誤差以下でない場合には、輝度値設定部１０８は、表示装置２の輝度値設定記憶部６に輝度値を設定し、輝度の調整を繰り返す。なお、輝度値設定部１０８は、輝度の調整を繰り返す前に、輝度値設定記憶部６への設定が反映される予め定められた一定時間である待機時間の経過後に、表示装置２の輝度の調整を繰り返す。
【００４０】
次に、図５を用いて、輝度調整装置１の動作について説明する。なお、ここでは、目標輝度値特性関数記憶部１０２に、該目標輝度値特性関数が、外部温度毎に記憶されている場合について説明する。
なお、予め、輝度調整装置１を用いるユーザが、輝度調整装置１に接続されている入力装置を用いて、表示装置の製品を輝度調整装置１に対して選択しているものとする。そのため、輝度調整装置１は、ユーザにより選択された表示装置の製品の情報に基づいて、製品内部温度特性関数記憶部１０１から製品内部温度特性関数を選択し、目標輝度値特性関数記憶部１０２から目標輝度値特性関数を選択している。
【００４１】
まず、外部温度検出部１０３が、表示装置２の外部温度を、表示装置２の外部にある外部温度センサ３で検出する（ステップＳ１０１）。
次に、内部温度検出部１０４が、表示装置２の内部温度を、表示装置２の内部にある内部温度センサ４で検出する（ステップＳ１０２）。
【００４２】
次に、暖機時間決定部１０６が、外部温度検出部１０３が検出した外部温度と、内部温度検出部１０４が検出した内部温度との温度差を算出し（ステップＳ１０３）、該算出した温度差に対応する暖機時間を推定暖機時間として製品内部温度特性関数記憶部１０１に記憶されている製品内部温度特性関数から読み出して決定する（ステップＳ１０４）。
【００４３】
次に、目標輝度値決定部１０７は、外部温度検出部１０３が検出した外部温度に該当する目標輝度値特性関数を目標輝度値特性関数記憶部１０２から選択し、該選択した目標輝度値特性関数から、暖機時間決定部１０６が決定した推定暖機時間に対応する目標輝度値を読み出して決定する（ステップＳ１０５）。
【００４４】
次に、輝度値検出部１０５が、表示装置２の輝度値を、輝度センサ５で検出する（ステップＳ１０６）。次に、輝度値設定部１０８は、輝度値検出部１０５が検出した表示装置２の輝度値と、目標輝度値決定部１０７が決定した目標輝度値との差を輝度差として算出する（ステップＳ１０７）。
次に、輝度値設定部１０８は、算出した輝度差が予め定められた一定値以下であるか否かを検出する（ステップＳ１０８）。
【００４５】
ステップＳ１０８の検出結果が、算出した輝度差が予め定められた一定値以下でない場合には、輝度値設定部１０８は、輝度差に基づいて輝度値設定記憶部６の輝度値を設定することにより、表示装置２の輝度値を調整する（ステップＳ１０９）。
次に、輝度値設定部１０８は、予め定められた一定時間待機し、その後、ステップＳ１０１からの処理を繰り返し、表示装置２の輝度値を調整する。
【００４６】
一方、ステップＳ１０８の検出結果が、算出した輝度差が予め定められた一定値以下である場合には、輝度値設定部１０８は、例えば、確認用表示装置８に、表示装置２の輝度調整が終了したメッセージを表示することにより、表示装置２の輝度値の調整の処理を終了する（ステップＳ１１０）。
【００４７】
以上の輝度調整装置１の動作により、輝度調整装置１は、外部温度または表示装置２の暖機時間に依存せずに、表示装置２の輝度値が調整することが可能となる。
また、輝度調整装置１は、暖機時間を推定し、推定した暖機時間での目標輝度値に合わせて輝度調整するため、従来のように暖機時間の間待機しなくても、短い時間で輝度調整が可能となる効果を奏する。
【００４８】
（第２の実施形態）
第１の実施形態においては、内部温度センサと外部温度センサとを用いたが、第２の実施形態として、２つの内部温度センサを用いる場合について説明する。以下に、第２の実施形態として、第１の実施形態と異なる点のみについて説明する。
【００４９】
ここでは、２つの内部温度センサの一方を第１内部温度センサとし、他方を第２内部温度センサとして説明する。
第１内部温度センサと第２内部温度センサとは、表示装置２内部において、同一の場所ではなく、異なる場所、例えば、表示装置内部の上端付近と下端付近など、その間の距離を離して設置されている。これは、第１内部温度センサと第２内部温度センサとを用いて、表示装置内部の温度差を検出するためである。
【００５０】
まず、第１の実施形態においては、外部温度センサと内部温度センサとを用いて、表示装置の内部温度と外気温との差から推定暖機時間を算出したが、第２の実施形態においては、表示装置内部の上端付近と下端付近などに設置されている第１内部温度センサと第２内部温度センサとを用いて、表示装置内部の温度差から推定暖機時間を算出する点が異なる。
【００５１】
また、製品内部温度特性関数記憶部１０１に記憶されている製品内部温度特性関数は、第１の実施形態においては、外部温度センサと内部温度センサとが測定した温度差に対して記憶されていたが、第２の実施形態においては、第１内部温度センサと第２内部温度センサとが測定した温度差に対して記憶されている点が異なる。
【００５２】
この第２の実施形態のように、表示装置２が２つの内部温度センサを有する場合には、輝度調整装置１は、外部温度センサ３を用いることなく表示装置２の輝度調整が可能となる効果を奏する。
【００５３】
なお、上記の実施形態の説明においては、製品内部温度特性関数記憶部１０１には、製品内部温度特性関数が、製品内部温度テーブルとして予め記憶されているとして説明したが、これに限られるものではなく、製品内部温度特性関数記憶部１０１は、製品内部温度特性関数を関数として記憶しておき、この関数により、温度差に対する推定暖機時間を算出するようにしてもよい。
【００５４】
また、目標輝度値特性関数記憶部１０２には、目標輝度値特性関数が、目標輝度値テーブルとして予め記憶されているとして説明したが、これに限られるものではなく、目標輝度値特性関数記憶部１０２は、外部温度に基づいて目標輝度値特性関数である関数を生成し、生成した目標輝度値特性関数である関数に基づいて、外部温度に対する目標輝度値テーブルを生成するようにしてもよい。または、目標輝度値特性関数記憶部１０２は、外部温度と推定暖機時間とに基づいて、目標輝度値特性関数である関数に基づいて、目標輝度値を算出するようにしてもよい。
【００５５】
なお、製品内部温度特性関数記憶部１０１、目標輝度値特性関数記憶部１０２、また、輝度値設定記憶部６は、ハードディスク装置や光磁気ディスク装置、フラッシュメモリ等の不揮発性のメモリや、ＣＲ−ＲＯＭ等の読み出しのみが可能な記憶媒体、ＲＡＭ（Ｒａｎｄｏｍ  Ａｃｃｅｓｓ  Ｍｅｍｏｒｙ）のような揮発性のメモリ、あるいはこれらの組み合わせにより構成されるものとする。
【００５６】
なお、この輝度調整装置１は専用のハードウェアにより実現されるものであってもよく、また、この輝度調整装置１はメモリおよびＣＰＵ（中央演算装置）により構成され、輝度調整装置１の機能を実現するためのプログラムをメモリにロードして実行することによりその機能を実現させるものであってもよい。
【００５７】
また、図１における輝度調整装置１の機能を実現するためのプログラムをコンピュータ読み取り可能な記録媒体に記録して、この記録媒体に記録されたプログラムをコンピュータシステムに読み込ませ、実行することにより輝度調整を行ってもよい。なお、ここでいう「コンピュータシステム」とは、ＯＳや周辺機器等のハードウェアを含むものとする。
【００５８】
なお、本発明の適応対象とする表示装置２として、液晶表示装置について説明したが、表示装置はこれに限られるものではなく、本発明は、ＣＲＴ方式の表示装置、プラズマ方式の表示装置、また、他の任意の方式の表示装置などの、輝度が暖機時間と共に変化する表示装置に適応可能である。
【００５９】
以上、この発明の実施形態を図面を参照して詳述してきたが、具体的な構成はこの実施形態に限られるものではなく、この発明の要旨を逸脱しない範囲の設計等も含まれる。
【産業上の利用可能性】
【００６０】
本発明は、表示装置の輝度調整をする輝度調整装置に用いて好適である。
【図面の簡単な説明】
【００６１】
【図１】この発明の一実施形態による輝度調整装置の構成を示すブロック図である。
【図２】図１の輝度調整装置の輝度調整の原理を説明する第１の説明図である。
【図３】図１の輝度調整装置の輝度調整の原理を説明する第２の説明図である。
【図４】図１の輝度調整装置の詳細な構成を示すブロック図である。
【図５】図４の輝度調整装置の動作を示すフローチャート図である。
【符号の説明】
【００６２】
１  輝度調整装置
２  表示装置
３  外部温度センサ
４  内部温度センサ
５  輝度センサ
６  輝度値設定記憶部
７  制御線
８  確認用表示装置
１０１  製品内部温度特性関数記憶部
１０２  目標輝度値特性関数記憶部
１０３  外部温度検出部
１０４  内部温度検出部
１０５  輝度値検出部
１０６  暖機時間決定部
１０７  目標輝度値決定部
１０８  輝度値設定部
【図１】
2008116737.tif 000003
【図２】
2008116737.tif 000004
【図３】
2008116737.tif 000005
【図４】
2008116737.tif 000006
【図５】
2008116737.tif 000007